(57)【要約】【課題】  ショルダ型の装置本体が小型であっても、音声モニターが良好に行え、また、安定した撮影画像を得ることができる撮像装置を提供する。【解決手段】  撮像装置（１０）を、レンズ部（１０Ｌ）と、該レンズ部（１０Ｌ）を通過して入来した光を電気信号に変換する撮像素子（１０Ｈａ）を内部に収納した略箱状の本体部（１０Ｈ）と、前記本体部（１０Ｈ）の一面にこの撮像装置（１０）を可搬可能なハンドル（１０７）を備え、前記ハンドル（１０７）に、スピーカ（３０２）と、該スピーカ（３０２）を支持するフレーム（３０１）と、該フレーム（３０１）の前記スピーカ（３０２）の放音方向側に設けられた弾力性を有するパッド（３０３）と、を有する耳当てパッド（１０８）を装着して成る構成を有するようにした。【選択図】      図１
2006303571.tif 000002
【特許請求の範囲】
【請求項１】
レンズ部を通過して入来した撮像光を電気信号に変換する撮像素子を収納した略箱状の本体部を備えた撮像装置であって、
前記本体部の上面にこの撮像装置を可搬可能なハンドルを備え、
前記ハンドルに、スピーカと、該スピーカを支持するフレームと、該フレームの前記スピーカの放音方向側に設けられた弾力性を有するパッドと、を有する耳当てパッド部を装着して成ることを特徴とする撮像装置。
【請求項２】
前記耳当てパッド部の装着位置を調整可能にして成ることを特徴とする請求項１記載の撮像装置。
【発明の詳細な説明】
【技術分野】
【０００１】
本発明は、撮像装置に係り、特に、スピーカを内蔵した耳当てパッドを、その取付位置を調整可能にして備えた撮像装置に関する。
【背景技術】
【０００２】
映像入力部であるビデオカメラと、このビデオカメラで撮像した画像を記録する映像記録部〔ＶＴＲ（ビデオテープレコーダ）やＨＤＲ（ハードディスクレコーダ）等〕とを一体にした所謂カメラ一体型映像記録装置が普及している。
この装置の形態としては、大別して、本体を肩に載せて撮影を行うショルダ型（肩のせ型）と、本体を手で持って撮影を行うハンドヘルド型（手持ち型）とがある。
家庭用では、誰でも簡単に操作できるように小型化，軽量化が進み、ハンドヘルド型が主流となっている。
一方、ショルダ型は、安定して撮影できるという利点があり、特に放送用、業務用、ハイアマチュア用には好適に使用されている。
【０００３】
従来のショルダ型において音声モニターを行う場合には、肩に載せた本体の側面にちょうど耳が位置することから、耳の位置にモニタ用スピーカを内蔵し、耳を本体に密着させた際に良好な圧接感が得られるよう、表面に弾力性のある耳当てパッドを備えた撮像装置が知られており、一例として特許文献１に記載されたカメラがある。
このカメラにおいては、撮影者の外耳に合うように窪みを付けたゴム製のチークパッドを備えているので、外耳を圧迫することなく保護できるとされる。
一般に、このような耳当てパッドを備えることにより、肩に載せたカメラが傾くことなく安定して保持でき、ブレのない撮影ができるとともに、撮影者も音声モニターをしつつ長時間に渡って少ない疲労で撮影をすることができる。
【特許文献１】実開平１−１２２６７７号公報
【発明の開示】
【発明が解決しようとする課題】
【０００４】
ところで、近年、撮像装置が備える回路基板や機構の小型化が進み、撮像装置の本体は極めて小型になってきている。
ショルダ型の撮像装置においても同様であり、本体の小型化により、特に本体高さが小さくなったため、これを肩に載せた場合に本体の側面に必ずしも耳が位置しないようになってきている。
従って、このようなショルダ型の撮像装置においては、本体に設けた耳当てパッドやスピーカを良好には使用し難いという問題が生じていた。
これについて、図５及び図６を用いて説明する。
【０００５】
まず、図５を用いて説明する。この図は、近年の、小型化されたショルダ型の撮像装置を示す側面図である。この図において、撮像装置６０はカメラ一体型ＶＴＲである。
この撮像装置は、本体部６０Ｈと、この本体部に対して交換可能なレンズ部６０Ｌとを有している。
本体部６０Ｈは、その底面部にショルダーパッド６０１を有しており、上面部にはハンドル６０７が装着されている。
このハンドル６０７には、アイカップ６０３を有するビューファインダ６０２と、マイクロホン６０６とが装着されている。
レンズ部６０Ｌのレンズ筐体６０４にはレンズグリップ６０５が備えられている。
【０００６】
このショルダ型の撮像装置６０を用いて撮影する場合、ショルダーパッド６０１の凹んだ部分６０１ａを撮影者の肩に載せ、レンズグリップ６０５を右手で保持しながらズームや録画開始・停止などの操作を行い、ビューファインダ６０２のアイカップ６０３を右目に当てて画像を見ながら撮影を行う。
外部の音声はマイクロホン６０６により収録される。
また、この撮像装置６０を持ち運ぶ際にはハンドル６０７を把持する。
【０００７】
次に図６を用いて説明する。この図は、図５の撮像装置６０を撮影者Ｍの肩Ｍｓに載せて保持した状態をその撮影者Ｍの後方から見た図である。
この図６からわかるように、小型化されたビデオカメラにおいては、ショルダーパッド６０１から撮像装置６０の本体６０Ｈの最上部までの高さＨ１の寸法が小さく、撮像装置６０の本体６０Ｈの側面６０Ｈ１が撮影者Ｍの耳Ｍｅには当接しない状態になる。
従って、本体６０Ｈに耳当てパッドやスピーカを設けても、耳の位置と合わないため大変使用し難く、良好な音声モニターをする場合にはイヤホンなどを用いなければならず、その場合、イヤホンのワイヤが引っかかって撮影に支障が生じたり、その取付取り外しに手間がかかるという不具合があった。
また、撮影者Ｍの頭部Ｍｈと本体６０Ｈの側面６０Ｈ１側とが当接しないので、撮像装置６０が矢印Ｒの方向に傾きやすく、撮影画像が揺れて不安定になるという問題も生じやすくなっていた。
【０００８】
そこで、本発明が解決しようとする課題は、ショルダ型の装置本体が小型であっても、音声モニターが良好に行え、また、安定した撮影画像を得ることができる撮像装置を提供することにある。
【課題を解決するための手段】
【０００９】
上記の課題を解決するために、本願発明は手段として次の構成を有する。
〔１〕撮像装置（１０）を、レンズ部（１０Ｌ）と、該レンズ部（１０Ｌ）を通過して入来した光を電気信号に変換する撮像素子（１０Ｈａ）を内部に収納した略箱状の本体部（１０Ｈ）と、前記本体部（１０Ｈ）の一面にこの撮像装置（１０）を可搬可能なハンドル（１０７）を備え、前記ハンドル（１０７）に、スピーカ（３０２）と、該スピーカ（３０２）を支持するフレーム（３０１）と、該フレーム（３０１）の前記スピーカ（３０２）の放音方向側に設けられた弾力性を有するパッド（３０３）と、を有する耳当てパッド部（１０８）を装着して成る構成を有するようにした。
〔２〕また、〔１〕記載の撮像装置（１０）を、前記耳当てパッド部（１０８）の装着位置が調整可能な構成とした。
【発明の効果】
【００１０】
本発明によれば、撮像装置の本体が小型であっても、音声モニターが良好に行え、また、安定した撮影画像を得ることができるという効果を奏する。
【発明を実施するための最良の形態】
【００１１】
本発明の実施の形態を、好ましい実施例により図１〜図４を用いて説明する。
図１は、本発明の撮像装置の実施例を示す側面図である。
図２は、本発明の撮像装置の実施例を示す右斜め後方から見た外観斜視図である。
図３は、本発明の撮像装置の実施例における要部を説明する断面図及び正面図である。
図４は、本発明の撮像装置の実施例における使用状態を説明するための撮影者後方側から見た図である。
【００１２】
図１において、実施例の撮像装置１０は、カメラ一体型ＶＴＲであり、本体部１０Ｈとこの本体部１０Ｈに対して交換可能なレンズ部１０Ｌとを有して構成される。
本体部１０Ｈは筐体１０Ｈｓを有し、この筐体１０Ｈｓの内部には、レンズ部１０Ｌを通過して入来した撮像光を電気信号に変換する撮像素子１０Ｈａと、撮像素子１０Ｈａから出力された電気信号を処理する画像信号処理回路１０Ｈｄ１と、後述するマイクロフォン１０６により収音されて送出された音声信号を処理して音声出力端子２０１を介して外部へ送出する音声信号処理回路１０Ｈｄ２と、画像信号を記録するＶＴＲである記録部１０Ｈｅとが備えられている。
音声出力端子２０１には、このマイクロフォンからの音声信号の他、ＶＴＲ再生時の音声信号や、図示しない外部入力端子から入力される外部マイクロフォンや外部の再生機器等からの音声信号が出力され、モニターできるように構成される。
本体部１０Ｈには、略箱状の筐体１０Ｈｓの底面部１０Ｈｂにショルダーパッド１０１を有しており、筐体１０Ｈｓの上面部１０Ｈｔには、ハンドル１０７がねじ止め等により着脱自由に装着されている。
このハンドル１０７には、アイカップ１０３を有するビューファインダ１０２と、マイクロホン１０６と、耳当てパット部１０８が装着されている。
この耳当てパット部１０８についての詳細は後述する。
レンズ部１０Ｌのレンズ筐体１０４には、レンズグリップ１０５が備えられている。
【００１３】
この撮像装置１０の右斜め後方から見た斜視図を図２に示す。
ハンドル１０７の後面１０７ｂには、音声出力端子２０１が備えられている。イヤホンや外部スピーカをこの音声出力端子２０１に接続することで、音声をモニターすることができる。
実施例においては、ハンドル１０７に取付位置を調整できるようにして装着された耳当てパット部１０８には、スピーカ３０２が内蔵されている。そして、そのスピーカ３０２と電気的に接続された接続プラグ３０７を音声出力端子２０１に接続することで、この耳当てパット部１０８により音声モニターが可能になっている。
【００１４】
この耳当てパット部１０８の構造について、図３を用いて説明する。
図３（ｂ）は、この耳当てパッドとそれを取り付けたハンドル１０７の一部を示す正面図であり、図３（ａ）は、図３（ｂ）におけるＢ−Ｂ断面図である。
図３（ｂ）において、耳当てパット部１０８は、開口孔３０１ａを有して略箱状に形成されたフレーム３０１を有し、その内部には、スピーカ３０２が、開口孔３０１ａを介して外部に音声を放出するように備えられている（矢印Ｓ参照）。
このスピーカ３０２と電気的に接続されたケーブル３０６は、その先端側の接続プラグ３０７をハンドル１０７に設けられた音声出力端子２０１に接続され、撮像装置１０の本体１０Ｈからの音声信号をスピーカ３０２に供給する。
【００１５】
フレーム３０１の開口孔３０１ａ側の面には、長丸状で環状のパッド３０３が取り付けられている。このパッド３０３は、表面層がＰＵ（ポリウレタン）レザーで形成され、内部にはウレタンフォームが充填され、弾力性を有するパッドである。
また、フレーム３０１の開口部３０１ａには、スピーカ３０２を外部のゴミや埃から保護するために、不織布３０１ｄが貼付されている。
また、このパッド３０３の外側には、これを囲むようにフレーム３０１に固定された固定リング３０８が設けられている。
この固定リング３０８は、弾性変形したパッドが外側に潰れるのを防止すると共に、パッド３０３とフレーム３０１との固定部分を隠し、デザイン状のアクセントとなるものである。
【００１６】
フレーム３０１の一方の長手方向端部３０１ｂには、突出する一対の鍔部３０１ｃ，３０１ｃがフレーム３０１の短手方向に離隔して形成されている。
フレーム３０１の長手方向、短手方向は逆にしてもよく、この逆の場合には、図１において耳当てパッド部１０８は、縦長の姿勢でハンドル１０７に固定される。
この鍔部３０１ｃには、ねじを挿通する長孔３０５がその長手方向が図の上下方向となるように形成されている。
一方、ハンドル１０７の図の手前側側面には、この長孔３０５に対応する一対の雌ねじ（図示せず）が形成されており、耳当てパット部１０８は、長孔３０５を挿通させたねじ３０４の締結によりハンドル１０７に固定される。
その固定の際、長孔３０５の長手方向（図の矢印Ｄ方向）に固定位置を調整することができるので、この撮像装置１０を肩に載せた際に、撮影者の耳介の高さ位置が個人差によって大きくずれても、その耳介に最適な位置に耳当てパット部１０８を固定することができる。
もちろん、長孔３０５を、撮像装置１０の前後方向にも移動可能なようにねじ３０４のねじ径よりも大きく形成しておけば、耳介の位置が前後方向に多少ずれでも、最適な位置に固定することができる。
この耳当てパッド部１０８をハンドルに固定した状態において、パッド３０３におけるフレーム３０１と反対側の面を、本体部１０Ｈの側面と略同一の面を形成するように構成することが望ましい。
【００１７】
このようなショルダ型の撮像装置１０を用いて撮影を行う場合、ショルダーパッド１０１の凹んだ部分（凹部）１０１ａ（図１参照）を肩に当てて載せ、レンズグリップ１０５を右手で保持しながらズームや録画開始・停止などの動作を操作し、ビューファインダ１０２のアイカップ１０３を右目に当てて画像を見ながら撮影を行う。
外部の音声はマイクロホン１０６で収録される。
また、この撮像装置１０を持ち運ぶ際には、ハンドル１０７を把持する。
【００１８】
ここで、耳当てパット部１０８を装着した撮像装置１０を肩載せ保持した際の様子を、後ろ側から見た図として図４に示す。
この図４に示すように、ショルダーパッド１０１の撮影者Ｍの肩Ｍｓに当たる位置から耳介Ｍｅに当たる耳当てパット部１０８の中心までの高さ寸法Ｈ２が大きいので、肩と耳介の２ヶ所、すなわち、肩による上下方向、また、耳介による左右方向でしっかり撮影者に当接する。
【００１９】
従って、撮像装置１０が傾きにくく、撮影者Ｍは、撮像装置１０を極めて安定して保持することができ、ブレのない安定した映像を撮影することができる。
従来の撮像装置は傾きやすく不安定であるため長時間撮影を行うと撮影者の疲労が大きかったが、実施例の撮像装置は傾きにくく安定に保持することができるので長時間撮影しても撮影者の疲労は小さい。
また、耳当てパット部１０８の表面をＰＵレザーとしたので滑りにくく、より安定して装置を保持することができる。また、顔に当てた際には、ウレタンフォームにより柔らかくフィットして、疲れがより少ないという効果がある。
【００２０】
また、実施例の撮像装置では、ハンドル１０７に取り付けた耳当てパット部１０８にスピーカ３０２を内蔵しているため、耳当てパット部１０８に耳介に当て、耳介とほぼ同一の位置に調整により固定できるパッド３０３の開口部からスピーカ３０２で出力する音声が聞こえる。
従って、スピーカ３０２でモニタする音声が小さい音量でも大変よく聞こえるので、大きな音量にしてマイクロホン１０６の収録音にモニター音がかぶってしまったり、周囲に音が漏れるという不具合を生じることがない。
【００２１】
更に、実施例の耳当てパット部１０８は、フレーム３０１に設けた取り付け穴３０５を、調整したい方向の長穴としているので、ねじ３０４を緩めることにより取り付け位置をその方向（図３では上下方向）に調整することができる。
これにより、例えば、取り付け高さを撮影者の耳の位置に合わせ、更に微調整が可能なので、より安定的に撮像装置１０を保持することができる。
また、スピーカ３０２の位置を耳介の位置に精度よく合わせることができるので、スピーカ３０２から出力される音声が小さな音量でも確実に聞き取ることができるという効果がある。
【００２２】
このように、実施例の耳当てパッドは、耳介にソフトに当接するパッドと内蔵スピーカを備え、また、実施例の撮像装置は、この耳当てパッドをハンドルに着脱自由に、かつ、取付位置が調整可能となるように装着したので、撮影者は、この撮像装置を傾くことなく安定して保持することができ、ブレのない撮影を行うことができ、長時間の撮影においても、疲労が大変少ないものである。
【００２３】
また、この耳当てパッドは、実施例において耳介に当てる形態のものを示したが、耳介を包み込むような環状として直接頭部に当接する構成の耳当てパッドでもよい。
【００２４】
尚、実施例ではカメラ一体型ＶＴＲの例を説明したが、これに限るものではなく、記録部としてＨＤＲ装置を用いたものでもよい。また、記録部を備えることなく、映像を撮像し音声のモニターをする撮像装置であっても同様の効果を奏することはいうまでもない。
また、レンズ部１０Ｌは交換可能でなくてもよく、また、本体部１０Ｈに収納されている形態のものでもよい。
【００２５】
本発明の実施例は、上述した構成及び手順に限定されるものではなく、本発明の要旨を逸脱しない範囲において変形例としてもよいのは言うまでもない。
【図面の簡単な説明】
【００２６】
【図１】本発明の撮像装置の実施例を示す側面図である。
【図２】本発明の撮像装置の実施例を示す右斜め後方から見た外観斜視図である。
【図３】本発明の撮像装置の実施例における要部を説明する断面図及び正面図である。
【図４】本発明の撮像装置の実施例における使用状態を説明するための撮影者後方側から見た図である。
【図５】従来の撮像装置を説明する側面図である。
【図６】従来の撮像装置の使用状態を説明するための撮影者後方側から見た図である。
【符号の説明】
【００２７】
１０  撮像装置
１０Ｈ  本体部
１０Ｈｂ  底面部
１０Ｈｄ１，１０Ｈｄ２  信号処理回路
１０Ｈｅ  記録部
１０Ｈｓ  筐体
１０Ｈｔ  上面部
１０Ｌ  レンズ部
１０１  ショルダーパッド
１０１ａ  凹部
１０２  ビューファインダ
１０３  アイカップ
１０４  レンズ筐体
１０５  レンズグリップ
１０６  マイクロホン
１０７  ハンドル
１０７ｂ  後面
１０８  耳当てパッド部
２０１  音声出力端子
３０１  フレーム
３０１ａ  開口孔
３０１ｂ  端部
３０１ｃ  鍔部
３０１ｄ  不織布
３０２  スピーカ
３０３  パッド
３０４  ねじ
３０５  長孔
３０７  接続プラグ
３０８  固定リング
Ｍ  撮影者
Ｍｅ  （撮影者の）耳介
Ｍｓ  （撮影者の）肩
【図１】
2006303571.tif 000003
【図２】
2006303571.tif 000004
【図３】
2006303571.tif 000005
【図４】
2006303571.tif 000006
【図５】
2006303571.tif 000007
【図６】
2006303571.tif 000008